(57)【特許請求の範囲】
【請求項１】
カメラ本体と、前記カメラ本体に沈胴している第一位置と前記カメラ本体に対する基準位置とを少なくともとり得るレンズ鏡筒と、前記カメラ本体に対する前記レンズ鏡筒の位置制御をするものであって、電池を再投入した時に前記レンズ鏡筒に前記基準位置を設定するためのリセット駆動をさせる制御部とを有するカメラにおいて、
前記レンズ鏡筒が前記第一位置にあるか否かを判断する判断部を有し、前記レンズ鏡筒が第一位置にないと前記判断部が判断すると、前記電池を再投入した時に前記制御部が前記リセット駆動を行うように制御することを特徴とするカメラ。
【請求項２】
前記判断部がＥ2ＰＲＯＭを含むことを特徴とした請求項１記載のカメラ。
【発明の詳細な説明】
【０００１】
【産業上の利用分野】
本発明は、カメラの鏡筒制御に関するものである。
【０００２】
【従来の技術】
従来、光電的にパルスをカウントすることによってレンズ鏡筒とカメラ本体との光軸方向の相対的な位置制御を行なう技術が知られている。この場合レンズ鏡筒のカメラ本体に対する光軸方向の基準位置を定める必要がある。そのために例えばレンズ鏡筒に基準点と、カメラに基準点の検知部とを設けていた。そしてレンズ鏡筒の基準点を検知部が検知したときの、レンズ鏡筒とカメラ本体との位置関係を基準位置として定めていた。
【０００３】
カメラ本体に対するレンズ鏡筒の光軸方向の基準位置は鏡筒リセット端か、オートフォーカススタート位置か、ズームレンズにおいてはワイド端に設定されていた。鏡筒リセット端はレンズ鏡筒がカメラに沈胴された位置であることをいう。オートフォーカススタート位置はカメラのメインスイッチを入れたあとに、レンズ鏡筒が繰り出される位置で、この位置からレンズ鏡筒の移動が始まる。ワイド端は最も広角側にレンズ鏡筒があることをいう。
【０００４】
上記の技術を用いたカメラにおいて、カメラの電池が抜けてしまったり、電池の交換をするために、電池を再投入する場合がある。その様な場合、基準位置からレンズ鏡筒がどれだけ移動したかが記録されていないために、レンズ鏡筒とカメラ本体との光軸方向の位置関係を中央演算処理装置（以下、ＣＰＵと呼ぶ）が認識出来なくなってしまう。
【０００５】
そのため、ＣＰＵがレンズ鏡筒の基準点がどこにあるのかを検知するために、レンズ鏡筒を光軸方向に移動する必要があった。
【０００６】
【発明が解決しようとする課題】
従来、レンズ鏡筒の基準位置がワイド端位置であるカメラは、ワイド端からリセット端まで駆動するのに光電的に読み出すパルスの数が多かった。そのため、鏡筒がワイド端からリセット端まで駆動するとき、パルスを読み損なう可能性があった。その場合読み損なったパルス数分余計にレンズ鏡筒がカメラに繰り込まれてしまい、カメラを損傷する恐れがあった。
【０００７】
またレンズ鏡筒の基準位置がワイド端位置であるカメラにおいて、ワイド端にレンズ鏡筒があるときに撮影者が手でレンズ鏡筒に触れると基準位置の検知が不安定となり、ＣＰＵが間違った位置を基準位置と認識する恐れがあった。
レンズ鏡筒の基準位置がリセット端位置であるカメラも、ワイド端からリセット端まで駆動するのに光電的に読み出すパルスの数が多い。そのため、鏡筒がリセット端からワイド端まで駆動するとき、パルスを読み損なう可能性があった。その場合読み損なったパルス数分余計にレンズ鏡筒がカメラから繰り出されてしまう問題点があった。
【０００８】
またレンズ鏡筒の基準位置がリセット端位置であるカメラにおいて、リセット端にレンズ鏡筒があるときに撮影者が手でレンズ鏡筒に触れると基準位置の検知が不安定となり、ＣＰＵが間違った位置を基準位置と認識する恐れがあった。
また、単焦点レンズカメラにおいても、同様に、フォーカススタート位置とリセット端までの駆動するのに光電的に読み出すパルスの数が多かったので、同様な問題点があった。
【０００９】
上記の如く基準位置の誤認や、レンズ鏡筒の余分な駆動があると、正確な焦点距離調節や、正確なオートフォーカスが出来ないという問題点があった。
また、従来のカメラでは、電池を再投入した時に、レンズ鏡筒を光軸方向に移動していた。そのため、不意にレンズ鏡筒が駆動するとカメラを持っている人がカメラ本体を落としてしまう可能性があるという問題点があった。
【００１０】
特に、レンズ鏡筒の位置がリセット端位置にあるカメラは、レンズ鏡筒の沈胴状態からレンズ鏡筒を移動するので、カメラを持っている人が驚いてカメラ本体を落とす可能性が高かった。
【００１２】
【課題を解決するための手段】
よって上記の問題点を解決するために請求項１記載発明のカメラでは、カメラ本体と、前記カメラ本体に沈胴している第一位置と前記カメラ本体に対する基準位置とを少なくともとり得るレンズ鏡筒１０８と、前記カメラ本体に対する前記レンズ鏡筒１０８の位置制御をするものであって、電池を再投入した時に前記レンズ鏡筒１０８に前記基準位置を設定するためのリセット駆動をさせる制御部１０４とを有するカメラにおいて、前記レンズ鏡筒１０８が前記第一位置にあるか否かを判断する判断部１０４、１０５を有し、前記レンズ鏡筒１０８が第一位置にないと前記判断部１０４、１０５が判断すると、前記電池を再投入した時に前記制御部１０４が前記リセット駆動を行うように制御することとした。
【００１３】
【作用】
レンズ鏡筒１０８の位置を判断する判断手段１０５にレンズ鏡筒１０８がカメラ本体に最も繰り込んだ第一位置状態であると判断されているときは制御手段１
０５がレンズ鏡筒１０８を第一位置状態に保持するように制御するようにした。よって、不意にレンズ鏡筒が駆動してカメラを持っている人がカメラ本体を落としてしまう可能性が少なくなる。
【００１５】
【実施例】
図１は、本発明のカメラのレンズ鏡筒を制御するための回路の構成を記している。カメラのメインスイッチ１０１が接続されたとき、カメラの回路に不図示の電源から電力が供給される。ズームアップスイッチ１０２は接続されると後述するレンズ鏡筒１０８の焦点距離を長くするのスイッチである。ズームダウンスイッチ１０３は接続されると後述するレンズ鏡筒１０８の焦点距離を短くする為のスイッチである。
【００１６】
ズームアップスイッチ１０２がオンした時はＣＰＵ１０４は、レンズ鏡筒１０８の位置が記憶されているＥ２ＰＲＯＭ１０５へレンズ鏡筒１０８の位置を確認する。そしてレンズ鏡筒１０８がＷ端以上繰り出しておりＴ端以外にいると認識した時、ＣＰＵ１０４はモータドライブＩＣ１０６へズームアップ信号を出力す
る。モータドライブＩＣ１０６は鏡筒ズームモータ１０７へレンズ鏡筒繰り出し駆動信号を出力してレンズ鏡筒１０８をズームアップさせる。
ズームダウンスイッチ１０３がオンした時はＣＰＵ１０４は、レンズ鏡筒１０８の位置が記憶されているＥ２ＰＲＯＭ１０５へレンズ鏡筒１０８のデータを読み出す。そしてレンズ鏡筒１０８がＷ端以上に繰り出しておりＷ端以外にいるとＣＰＵ１０４が認識した時は、鏡筒モータドライブＩＣ１０６へズームダウン信号を出力する。モータドライブＩＣ１０６は鏡筒ズームモータ１０７へレンズ鏡筒繰り込み駆動信号を出力してレンズ鏡筒１０８をズームダウンさせる。
【００１７】
レンズ鏡筒の位置制御のために、レンズ鏡筒１０８のカメラ本体に対する光軸方向の基準位置を定める必要がある。そして基準位置からのフォトインタラプタ１０９のパルス数でレンズ鏡筒１０８の位置制御をする。
入力端子１１０はＣＰＵ１０４にレンズ鏡筒の基準位置を設定入力するための端子である。また、出力端子１１１はＥ２ＰＲＯＭ１０５に書き込まれている基準位置の設定を読み取るための端子である。
【００１８】
本発明一実施例のカメラにおいて、電池をカメラに投入した場合の鏡筒駆動制御の様子を図２のフローチャートを用いて説明する。
Ｓ３０１で電池投入後にＳ３０２でＥ２ＰＲＯＭ１０５からレンズ鏡筒１０８の位置を読み出してリセット端かどうかを判断する。レンズ鏡筒１０８の位置がリセット位置にある場合は何もせずにＲＥＴへ進む。Ｓ３０２でレンズ鏡筒１０８の位置がリセット端で無い場合はＳ３０３へ進みレンズ鏡筒リセット駆動を実行させる。
【００１９】
Ｓ３０４ではＫＹＳ信号がＯＮかＯＦＦかを判断する。ＫＹＳ信号は後述するようにレンズ鏡筒１０８の基準点の相対位置を知るための信号である。
ＫＹＳ信号がＯＮである場合は、レンズ鏡筒１０８が基準位置よりもカメラ本体から繰り出された状態を示す。
ＫＹＳ信号がＯＦＦである場合は、レンズ鏡筒１０８が基準位置よりもカメラ本体から繰り込まれた状態を示す。
【００２０】
Ｓ３０４でＫＹＳ信号がＯＮの場合はＳ３０５でズームダウン駆動を開始する。駆動させるために必要なデータはＥ２ＰＲＯＭ１０５から読み込む。
Ｓ３０６でレンズ鏡筒１０８をズームダウンさせながら基準点であるＫＹＳの状態をモニターして、ＫＹＳ信号がＯＮかＯＦＦかを判断する。Ｓ３０６でＫＹＳ信号がＯＮの場合はこの判断を繰り返す。Ｓ３０６でＯＦＦになった場合は、Ｓ３０７でレンズ鏡筒１０８をリセット位置への駆動を開始する。レンズ鏡筒１０８のリセット位置とはレンズ鏡筒１０８がカメラに沈胴された状態のことをいう。
【００２１】
そしてＥ２ＰＲＯＭ１０５内のデータによるズームダウン駆動を実行してレンズ鏡筒１０８をレンズ鏡筒１０８がカメラに沈胴された状態であるリセット位置へ駆動して、Ｅ２ＰＲＯＭ１０５内のデータによるレンズ鏡筒１０８を止めるための逆通電ブレーキを行いレンズ鏡筒１０８を任意の位置に止めてから、ＲＥＴへ進む。
【００２２】
Ｓ３０４でＫＹＳ信号がＯＦＦならばＳ３０８でレンズ鏡筒１０８を繰り出してズームアップ駆動する。ＫＹＳ信号がＯＮするまでレンズ鏡筒１０８をズームアップ駆動する場合に必要なデータをＥ２ＰＲＯＭ１０５から読み込む。ズームアップさせながらＳ３０９でＫＹＳ信号の状態をモニターして、ＫＹＳ信号がＯＮかＯＦＦかを判断する。Ｓ３０９でＫＹＳ信号がＯＮの場合はこの判断を繰り返す。Ｓ３０９でＯＦＦになった場合は、Ｓ３０５へ進む。
【００２３】
図３は、本発明の一実施例でありカメラのレンズ鏡筒１０８の制御信号を表した図である。レンズ鏡筒１０８のカメラ本体に対する光軸方向の基準位置はレンズ鏡筒１０８のリセット端とワイド端の間にある。
図３（ａ）はレンズ鏡筒１０８の全体の制御信号を表している。
ＰＩ信号とは、本発明の光電的にレンズ鏡筒駆動を制御するための手段であるフォトインタラプタ１０９の信号の略である（以後、ＰＩ信号と記載する。）Ｒｅ端とはレンズ鏡筒１０８のリセット端の略である。Ｗ端とはレンズ鏡筒１０８が最も広角側に存在することを示している。Ｔ端とはレンズ鏡筒１０８が最も望遠側に存在することを示している。
【００２４】
リセット端からＴ端迄の間でＰＩ信号によりレンズ鏡筒１０８の駆動を制御し、Ｅ２ＰＲＯＭ１０５内にレンズ鏡筒１０８の位置を基準位置からのＰＩ信号のカウント数として記憶しておく。このＥ２ＰＲＯＭ１０５内の記憶によりレンズ鏡筒１０８がリセット端にいる場合は、無意味なレンズ鏡筒駆動を行わないようにする。
【００２５】
図３（ｂ）はレンズ鏡筒１０８の位置がリセット端にある状態からＷ端への繰り出しを行う際のレンズ鏡筒制御の制御信号を表している。
メインスイッチ１０１が操作されると基準点信号がＨからＬになるまでレンズ鏡筒１０８を繰り出すためにＣＰＵ１０４がモータドライブＩＣ１０６へ信号を出力する。モータドライブＩＣ１０６はレンズ鏡筒駆動のための信号を鏡筒ズームモータ１０７へ出力してレンズ鏡筒１０８を繰り出す。
【００２６】
基準点信号がＨからＬになったら、これをＣＰＵ１０４が検出する。ＣＰＵ１０４はＥ２ＰＲＯＭ１０５内に記憶しているＷ端への駆動のためのＰＩ信号のカウント数だけレンズ鏡筒繰り出し信号を出力する。Ｗ端へレンズ鏡筒１０８を繰り出し駆動する。
図３（ｃ）はレンズ鏡筒１０８の位置がＴ端にある状態からＷ端まで繰り込みを行う際のレンズ鏡筒制御の制御信号を表している。
【００２７】
レンズ鏡筒繰り込み信号をＣＰＵ１０４が検出すると、ＣＰＵ１０４はモータドライブＩＣ１０６へ信号を出力する。モータドライブＩＣ１０６はレンズ鏡筒駆動のための信号を鏡筒ズームモータ１０７へ出力する。そして鏡筒ズームモータ１０７はレンズ鏡筒１０８を繰り込む。
基準点信号がＬからＨになったら、これをＣＰＵ１０４が検出する。ＣＰＵ１０４はＥ２ＰＲＯＭ１０５内に記憶しているＷ端への駆動のためのＰＩ信号のカウント数だけレンズ鏡筒１０８を繰り出すために、ＣＰＵ１０４がモータドライブＩＣ１０６へ信号を出力する。モータドライブＩＣ１０６はレンズ鏡筒駆動のための信号を鏡筒モーター１０７へ信号を出力する。そして鏡筒ズームモータ１０７はレンズ鏡筒１０８を繰り出す。
【００２８】
図３（ｄ）はレンズ鏡筒１０８の位置が基準点とＷ端の間にあった状態のレンズ鏡筒制御の制御信号を表している。
例えば、レンズ鏡筒１０８が完全に繰り込んでない状態で電池の交換のために電池を抜いたとき、レンズ鏡筒１０８の位置が基準点とＷ端の間にきて、新しい電池を再投入した場合が考えられる。
【００２９】
基準点信号がＨなのでＬを検出するまでレンズ鏡筒１０８をレンズ鏡筒１０８を繰り出す。そのためにＣＰＵ１０４はズームアップをさせるためにモータドライブＩＣ１０６へ信号を出力する。モータドライブＩＣ１０６がレンズ鏡筒駆動のための信号を鏡筒モーター１０７へ出力し、レンズ鏡筒１０８を繰り出す。レンズ鏡筒１０８を繰り出してから基準点信号がＬになるのをＣＰＵ１０４が検出する。するとＥ２ＰＲＯＭ１０５内に記憶しているリセット端への駆動のためのＰＩ信号のカウント数で、リセット端へレンズ鏡筒１０８を繰り込むためにＣＰＵ１０４がモータドライブＩＣ１０６へ信号を出力する。モータドライブＩＣ１０６がレンズ鏡筒駆動のための信号を鏡筒ズームモータ１０７へ信号を出力してリセット端へレンズ鏡筒１０８を繰り込み駆動する。
【００３０】
以上の説明では基準位置をズームレンズ鏡筒１０８のリセット端とＷ端との間に存在する例を示したが、２焦点レンズのカメラに用いて、リセット端とＷ端との間に基準位置を設けてもよい。
また、レンズ鏡筒１０８のリセット端とフォーカススタート位置との間に基準位置を設けてもよい。
【００３１】
また、基準位置はＥ２ＰＲＯＭ１０５の情報を書き換えることによってＲｅ端側にもＷ端側にも変更することができる。入力端子１１０からデータを入力することによって、ＣＰＵ１０４を通してＥ２ＰＲＯＭ１０５に基準位置の設定が書き込まれる。また、出力端子１１１からＥ２ＰＲＯＭ１０５に書き込まれている基準位置の設定を読み取ることが出来る。このためカメラを組み立てた後でもレンズ鏡筒１０８の基準位置の調整を簡単にすることが出来る。
【００３２】
よってピント出しの調整やズームレンズの焦点距離の調整が簡単にできる。
【００３４】
【発明の効果】
請求項１記載の発明においては、レンズ鏡筒の位置を判断する判断手段にレンズ鏡筒がカメラ本体に繰り込んだ第一位置状態にないと判断されているときのみ制御手段がレンズ鏡筒をリセット駆動するように制御するようにしたので、不意にレンズ鏡筒が駆動してカメラを持っている人がカメラ本体を落としてしまう可能性が少なくなる。
【図面の簡単な説明】
【図１】本発明一実施例のカメラのレンズ鏡筒を制御するための回路の構成である。
【図２】本発明一実施例のカメラにおいて、電池をカメラに投入した場合の鏡筒駆動制御の様子を示すフローチャートである。
【図３】本発明の一実施例においてカメラのレンズ鏡筒の制御信号を表した図である。
【符号の説明】
１０１メインスイッチ
１０２ズームアップスイッチ
１０３ズームダウンスイッチ
１０４ＣＰＵ
１０５Ｅ２ＰＲＯＭ
１０６モータドライブＩＣ
１０７鏡筒ズームモータ
１０８レンズ鏡筒
１０９フォトインタラプタ
１１０入力端子
１１１出力端子
【図１】
0003622220.tif 000002
【図２】
0003622220.tif 000003
【図３】
0003622220.tif 000004